(57)【特許請求の範囲】
【請求項１】
送風部と発熱部とを内蔵するドライヤー本体とハンドル部とで構成されたヘアードライヤーを壁面に掛けるために、ドライヤー本体を収納する本体収納部が設けられたホルダーカバーを有するヘアードライヤー壁掛け用ホルダーにおいて、本体収納部の上部から天板部を突設させると共に、天板部よりも下方位置であってドライヤー本体の収納時には開放できない位置に開閉蓋を開閉可能に取り付け、ホルダー内部にテストボタン付きの漏電遮断機が収納されると共に、上記開閉蓋の背面に漏電遮断機のテストボタンが位置しており、開閉蓋を開いてテストボタンを操作することにより漏電遮断機が正常に作動するか否かをテストできるようにしたことを特徴とするヘアードライヤー壁掛け用ホルダー。
【請求項２】
本体収納部は凹曲面形状に形成されていることを特徴とする請求項１記載のヘアードライヤー壁掛け用ホルダー。
【請求項３】
本体収納部の長さ方向の両側にそれぞれ開放部を設けてなることを特徴とする請求項１記載のヘアードライヤー壁掛け用ホルダー。
【請求項４】
開閉蓋の外表面が、本体収納部の内面形状に沿うように形成されていることを特徴とする請求項１記載のヘアードライヤー壁掛け用ホルダー。
【請求項５】
開閉蓋の一端がホルダーの外郭を構成するホルダーカバーに対して回動自在に枢支されていることを特徴とする請求項１又は請求項４記載のヘアードライヤー壁掛け用ホルダー。
【発明の詳細な説明】
【０００１】
【発明の属する技術分野】
本発明は、ヘアードライヤーを壁に掛けるためのホルダーに関するものである。
【０００２】
【従来の技術】
従来よりこの種の壁掛け式ホルダーとして、例えば特開平６−３１８７８９号公報には、送風部と発熱部とを有するドライヤー本体とハンドル部を有するヘアードライヤーを壁面に掛けるために、ドライヤー本体を収納できるように形成したものが知られている。また、ヘアードライヤーを浴室や洗面化粧台の近くで使用しているときに、誤って浴槽などの水の中に落とした場合に生じる感電事故から使用者を安全に防護するために、ホルダー内部に漏電遮断機を収納している。さらに、漏電遮断機自体が故障している場合には使用者はこれに気づかないという不具合があり、このような不具合を解消するために、漏電遮断機が正常に作動するか否かをテストするためのテストボタン及びリセットボタンをホルダー外部に突出して設けてある。
【０００３】
テストするときは、テストボタンを手で押して擬似的な漏電状態をつくり、このとき漏電遮断機がその漏れ電流を検出して正常に動作をするときには、リセットボタンが突出動作を行い、一方、漏電遮断機が故障により正常に動作しないときはリセットボタンは突出しないように構成されており、このリセットボタンの動作から正常か否かを判別できるようになっている。なお、正常に動作することを確認した後にはリセットボタンを指で押し込んで元の待機位置（突出しない位置）まで手で押し戻しておく。
【０００４】
【発明が解決しようとする課題】
ところが、上記従来例では、漏電遮断機のテストボタン及びリセットボタンが常にホルダーの外部に露出して設けられているために、使用者が間違って触れてしまう恐れが多々あり、また、ボタンへの挨や水等の異物の付着も多くなり、メンテナンスの回数が多くなる。また、テストボタン及びリセットボタンをホルダー内部に収納してしまうと、漏電遮断機の動作確認作業はホルダーを分解して行う必要があり、動作確認作業に非常に手間がかかるという問題もある。
【０００５】
本発明は、上記の従来例の問題点に鑑みて発明したものであって、その目的とするところは、使用者が間違ってテストボタンに触れてしまう恐れがなく、また、テストボタンに挨や水等の異物が付着するのを防止でき、さらに、テストボタンをホルダーカバー内に内蔵した構造でありながら、テストボタンによる漏電遮断機の動作確認作業を容易に行えるようにしたヘアードライヤー壁掛け用ホルダーを提供するにある。
【０００６】
【課題を解決するための手段】
上記課題を解決するために本発明にあっては、送風部１４と発熱部１６とを内蔵するドライヤー本体１とハンドル部２とで構成されたヘアードライヤーＢを壁面に掛けるために、ドライヤー本体１を収納する本体収納部３が設けられたヘアードライヤー壁掛け用ホルダーにおいて、本体収納部３の上部から天板部８を突設させると共に、天板部８よりも下方位置であってドライヤー本体１の収納時には開放できない位置に開閉蓋７を開閉可能に取り付け、ホルダー内部にテストボタン６付きの漏電遮断機５が収納されると共に、上記開閉蓋７の背面に漏電遮断機５のテストボタン６が位置しており、開閉蓋７を開いてテストボタン６を操作することにより漏電遮断機５が正常に作動するか否かをテストできるようにしたことを特徴としており、このように構成することで、メンテナンス作業者は開閉蓋７を開けて、操作用開口部からテストボタン６を操作することによって漏電遮断機５のテストを実施できるので、テストボタン６付きの漏電遮断機５をホルダーＡ内部に収納した構造でありながら、漏電遮断機５の動作確認作業等を容易に行えるようになる。また、作業後に開閉蓋７を閉じることでテストボタン６がホルダーＡ外部に露出するのを防止でき、一般の使用者がテストボタン６に容易に触ることができなくなると共に、テストボタン６に挨や水等の異物が付着するのを防止できる。
【０００７】
また上記本体収納部３の上部から天板部８を突設させたので、天板部８によってヘアードライヤーＢに水がかかるのを防止できるようになる。
【０００８】
また上記天板部８よりも下方位置に開閉蓋７を設けたので、天板部８によって開閉蓋７に水がかかるのを防止できると共に、埃などの異物が進入するのを効果的に防止できる。
【０００９】
また上記開閉蓋７は、ドライヤー本体１の収納時には開放できない位置に設けられているので、ドライヤー本体１を利用して開閉蓋７を閉じた状態で保持できるようになる。
【００１０】
また上記本体収納部３は凹曲面形状に形成されているのが好ましく、この場合、ドライヤー本体１を安定良く収納できるものである。
【００１１】
また上記ドライヤー本体１の収納性を良くするために、上記本体収納部３の長さ方向の両側にそれぞれ開放部９を設けるのが好ましい。また、上記開閉蓋７の外表面７ａが、本体収納部３の内面３ａの形状に沿うように形成されているのが好ましい。
【００１２】
また上記開閉蓋７の一端が、ホルダーＡの外郭を構成するホルダーカバー４に対して回動自在に枢支されているのが好ましく、この場合、開閉蓋７を回動させることで容易に開くことができ、漏電遮断機５の動作確認作業が容易となる。
【００１３】
【発明の実施の形態】
以下、本発明を添付図面に示す実施形態に基づいて説明する。
【００１４】
本実施形態のヘアードライヤーＢは、図１２に示すように、筒形状のハウジング１１の内部に、風を発生させるためのファン１２とモータ１３とから構成された送風部１４と、送風部１４からの送風を加熱するためのヒータ線１５を有する発熱部１６とを内装してあり、ハウジング１１の先端には回転自在のノズル１７が設けられ、また後端には、風を吸い込むための吸込みリング１８と挨の進入を防ぐための吸込みカバー１９とが設けられている。
【００１５】
ハウジング１１のハンドル部２は、メインスイッチ２１とメインスイッチボタン２２とを備えると共に、各仕様モードを切り替えるためのモードスイッチ２３とモードスイッチレバー２４とモードスイッチボタン２５とを備えている。
【００１６】
一方、ホルダーＡは、図１、図２に示すように、ドライヤー本体１を収納するホルダーカバーブロック２６と、壁面Ｃに据え付け固定されるホルダーベースブロック２７とで構成されている。このホルダーベースブロック２７は、図１１に示すように、ホルダーベース２８上に、ヘアードライヤーＢの電源コード２９に接続される接続コード３１、及び電源コード押さえ３０が設置されていると共に、接続コード３１と電源側のコネクター３２との間に、テストボタン６付きの漏電遮断機５、安全スイッチとなるマイクロスイッチ３３が配線接続されている。
【００１７】
図１３はホルダーＡとヘアードライヤーＢの回路構成の一例を示す。同図において、交流側のケーブル等の電線がホルダーＡのコネクター３２に接続され、そこから上記マイクロスイッチ３３、漏電遮断機５、接続コード３１、電源コード２９を介してヘアードライヤーＢに電流が供給されるようになっている。本例では、図１１のように電源コード２９のプラグ２９ａが、接続コード３１に抜き差し自在に接続されており、ヘアードライヤーＢのメンテナンス時には電源コード２９を取り外すことでメンテナンスを容易にできるようにしてある。
【００１８】
上記ホルダーカバーブロック２６は、ホルダーＡの外郭を構成するホルダーカバー４を備えると共に、ホルダーカバー４には、図７に示すように、ドライヤー本体１を着脱自在に収納するための凹曲面状をした本体収納部３が設けられている。
【００１９】
本体収納部３の下部中央には、図５〜図７に示すように、ヘアードライヤーＢのハンドル部２を通すことができる上下に開口したハンドル部挿入空間３５が設けられている。ここでは、ドライヤー本体１が左右どちら向きからも掛けることができるようにハンドル部挿入空間３５が２箇所設けられており、ヘアードライヤーＢの収納の向きに応じてハンドル部挿入空間３５を選択使用できるようになっている。さらに本体収納部３の長さ方向の両端には、ドライヤー本体１を掛けやすいようにするための開放部９がそれぞれ設けられている。
【００２０】
本体収納部３の下部の複数箇所には、本体収納部３のドライヤー本体１を本体収納部３のセンター位置で保持するためのドライヤーベース３６，３７が設けられている。図５〜図７に示す例では、２つのハンドル部挿入空間３５の中間位置に、ドライヤー本体１の中心部を支持するためのドライヤーベース３６が取り付けられており、ハンドル部挿入空間３５の両側位置にドライヤー本体１の両端部を支持するための左右一対のドライヤーベース３７が取り付けられている。これらドライヤーベース３６，３７の上面はドライヤー本体１の凸曲面形状に沿うような凹曲面形状に形成されており、ドライヤー本体１を安定良く収納できる構造となっている。
【００２１】
さらに本体収納部３の下部には、安全スイッチとなるマイクロスイッチ３３を操作するためのスイッチレバー３８が設けられている。スイッチレバー３８は、図３に示すように、その中央部がホルダーＡ内に設けた軸部３９を中心に上下回り方向ロに回動自在に軸支されており、スイッチレバー３８の一端がマイクロスイッチ３３に接離自在とされ、他端がバネ手段（図示せず）によってドライヤーベース３６よりも上方に突出している。そして、図３（ａ）に示すように、ドライヤー本体１を収納していない時にはスイッチレバー３８の他端がドライヤーベース３６，３７より上方に突出した状態にあり、このときスイッチレバー３８の一端はマイクロスイッチ３３を操作していない状態にある。この状態ではマイクロスイッチ３３はＯＮ状態となり、ヘアードライヤーＢのメインスイッチボタン２２を操作することによりヘアードライヤーＢを使用可能となる。また図３（ｂ）に示すように、ドライヤー本体１を収納したときには、ドライヤー本体１がスイッチレバー３８の他端を押し下げ、これにより、マイクロスイッチ３３がＯＦＦの状態となり、この状態ではヘアードライヤーＢに電圧はかからない状態であり、ヘアードライヤーＢのトラッキングを防止できるようになる。
【００２２】
上記本体収納部３の上端部は天板部８となっている。天板部８は図４に示すように、本体収納部３の長さ方向全長に亘って前方に突出しており、ヘアードライヤーＢに水がかかるのを防止する働きをする。また天板部８よりも下方位置には、ドライヤー本体１の外面に沿うことができるような凹曲面部４０が設けられており、この凹曲面部４０の一部に操作用開口部３４が設けられ、この操作用開口部３４に開閉蓋７が開閉自在に取り付けられている。ここでは、開閉蓋７の外表面７ａは、図１に示すように、本体収納部３の曲面形状をした内面３ａに沿った凹曲面形状に形成されており、またこの開閉蓋７が設けられる位置は、ドライヤー本体１の収納時にドライヤー本体１に覆われて開閉蓋７を開放することができない位置とされている。開閉蓋７の背面には、漏電遮断機６のテストボタン６が位置しており、開閉蓋７を開くことで漏電遮断機５が正常に作動するか否かをテストするためのテストボタン６を操作できるようになっている。
【００２３】
本例の開閉蓋７は回動式の蓋で構成されており、その一例を図８〜図１０に示す。開閉蓋７の基端部７ｂは、ホルダーカバー４に対して回動自在に枢支されていると共に、開閉蓋７の回動方向を重力方向イと略一致させてある。つまり、開閉蓋７には、図８、図９に示すように、上側の突起部４１と下側の孔部４２とが設けられており、孔部４２が図８に示されたホルダーＡの開閉蓋取付部４３の下端に突設された凸部４４に上下回り方向に回動自在に軸支されており、突起部４１が開閉蓋取付部４３に設けられた係止部７０に着脱可能に引っ掛け係止されている。そして、開閉蓋７は通常は係止部７０に引っ掛け係止されることで図１０（ａ）に示す閉じられた状態で保持されているが。開閉蓋７の先端部７ｃを下方に引っ張ると図１０（ｂ）に示すように、開閉蓋７は係止部７０から外れて凸部４４を中心に重力方向イ（つまり下方）に開けることができるようになり、これによりテストボタン６による漏電遮断機５の動作確認や定期点検等を外部より容易に実施できるようになっている。本実施形態では開閉蓋７の先端部７ｃには指掛け部４５が設けられており、開閉蓋７の開放動作が容易にできる構造となっている。なお、図７中の５０は開閉蓋７のストッパーである。
【００２４】
しかして、ホルダーカバー４の内部に、テストボタン６及びリセットボタン（図示せず）を備えた漏電遮断機５を収納し、ホルダーカバー４のテストボタン６等に対応する部分に開閉蓋７を開閉可能に取り付けるようにしたので、通常時は開閉蓋７によってテストボタン６及びリセットボタンがホルダーＡ外部に露出するのを防止でき、一般の使用者がテストボタン６等に容易に触ることができなくなる。
【００２５】
またメンテナンス作業者は開閉蓋７を開けて、操作用開口部３４からテストボタン６を操作することによって漏電遮断機５のテストを容易に行うことができる。これにより、テストボタン６付きの漏電遮断機５をホルダーＡ内部に収納した構造でありながら、開閉蓋７を開くだけで漏電遮断機５の動作確認作業等を容易に行えるようになる。なおテストの仕方は従来と同様である。漏電遮断機５の動作確認作業後には、開閉蓋７を閉じることでテストボタン６に挨や水等の異物が付着するのを防止できると共に、使用者がテストボタン６やリセットボタンに間違って触れてしまう恐れをなくすことができる。しかも、ドライヤー本体１を本体収納部３に収納した状態で開閉蓋７がドライヤー本体１の背面に位置しているため、開閉蓋７はドライヤー本体１の収納時には開閉できなくなり、使用者はテストボタン６を容易に触ることができなくなるだけでなく、ドライヤー本体１を利用して開閉蓋７を閉じた状態で保持できるようになり、そのうえ開閉蓋７は天板部８の下方位置の目立たない場所に設けられて閉じられた状態にあるため、外部からの埃等の異物の進入も確実に防止できるだけでなく、ドライヤー本体１によって開閉蓋７の存在が目立たなくなるので子供による悪戯等も防止できるようになる。
【００２６】
また本例では、開閉蓋７の上に天板部８が突設しているので、天板部８によってヘアードライヤーＢや開閉蓋７に水がかかるのを効果的に防止できるようになる。さらにホルダーＡの本体収納部３はドライヤー本体１の外面形状に沿った凹曲面形状に形成されており、さらに開閉蓋７の外表面７ａも本体収納部３の内面３ａの形状に沿うように形成されているので、ドライヤー本体１の収納がきわめて容易となる。そのうえ、ドライヤー本体１の収納時には、ハンドル部挿入空間３５が２つ設けられていると共に、本体収納部３の長さ方向の両側にそれぞれ開放部９が設けられているので、ドライヤー本体１を左右どちらの向きにしても収納可能となり、ヘアードライヤーＢの収納性が向上する。
【００２７】
また、上記開閉蓋７は、ホルダーカバー４に対して回動自在に枢支されているので開閉蓋７の開閉操作が容易である。特に開閉蓋７がその一端を中心にして重力方向イ（下方）に開くように構成してあるので、開閉蓋７の他端が自重によって上から下に向かって開放されることとなり、開閉蓋７の開放動作が容易且つスムーズなものとなり、また、閉じる際にも開閉蓋７を上に持ち上げるだけで簡単に閉じることができるので、開閉蓋７の操作性が大幅に向上するものである。
【００２８】
また上記開閉蓋７（回動式）を一般の使用者に容易に触らせないようにするために、開閉蓋７の前面部分をシール等にて被覆するようにしてもよいものである。
【００２９】
【発明の効果】
上述のように請求項１記載の発明にあっては、送風部と発熱部とを内蔵するドライヤー本体とハンドル部とで構成されたヘアードライヤーを壁面に掛けるために、ドライヤー本体を収納する本体収納部が設けられたヘアードライヤー壁掛け用ホルダーにおいて、本体収納部の上部から天板部を突設させると共に、天板部よりも下方位置であってドライヤー本体の収納時には開放できない位置に開閉蓋を開閉可能に取り付け、ホルダー内部にテストボタン付きの漏電遮断機が収納されると共に、上記開閉蓋の背面に漏電遮断機のテストボタンが位置しており、開閉蓋を開いてテストボタンを操作することにより漏電遮断機が正常に作動するか否かをテストできるようにしたので、メンテナンス作業者は開閉蓋を開けて、操作用開口部からテストボタンを操作することによって漏電遮断機のテストを容易に行うことができるので、テストボタン付きの漏電遮断機をホルダー内部に収納した構造でありながら、漏電遮断機の動作確認作業等を容易に行えるようになり、また、作業後に開閉蓋を閉じることでテストボタンがホルダー外部に露出するのを防止でき、一般の使用者がテストボタンに容易に触ることができなくなると共に、テストボタンに挨や水等の異物が付着するのを防止できるものである。
【００３０】
また上記本体収納部の上部から天板部を突設させたので、天板部によってヘアードライヤーに水がかかるのを防止できるようになる。しかも、天板部は本体収納部の上部に設けられるので、ドライヤー本体の収納の妨げにもならず、収納性を良く保ちながら、ヘアードライヤーの防水効果を得ることができる。
【００３１】
また上記天板部よりも下方位置に開閉蓋を設けたので、天板部によって開閉蓋に水がかかるのを防止できると共に、埃などの異物が進入するのを効果的に防止できる。
【００３２】
また上記開閉蓋は、ドライヤー本体の収納時には開放できない位置に設けられているので、ドライヤー本体によって使用者は開閉蓋を開放できなくなり、テストボタンに容易に触ることができなくなると共に、ドライヤー本体を利用して開閉蓋を閉じた状態で保持できるようになる。
【００３３】
また請求項２記載の発明は、請求項１記載の効果に加えて、本体収納部は凹曲面形状に形成されているので、ドライヤー本体を安定良く収納できるものである。
【００３４】
また請求項３記載の発明は、請求項１記載の効果に加えて、本体収納部の長さ方向の両側にそれぞれ開放部を設けたので、ドライヤー本体が左右どちら向きにも収納できるようになり、ドライヤー本体の収納が容易となり、収納性が向上する。
【００３５】
また請求項４記載の発明は、請求項１記載の効果に加えて、開閉蓋の外表面が、本体収納部の内面形状に沿うように形成されているので、開閉蓋がドライヤー本体の収納の妨げとならず、ドライヤー本体の収納が容易となり、収納性が向上する。
【００３６】
また請求項５記載の発明は、請求項１又は請求項４記載の効果に加えて、開閉蓋の一端が、ホルダーの外郭を構成するホルダーカバーに対して回動自在に枢支されているので、開閉蓋を回動させることで容易に開くことができ、これにより漏電遮断機の動作確認作業が容易となり、作業性が向上する。
【図面の簡単な説明】
【図１】  本発明の一実施形態の側面断面図である。
【図２】  同上の正面図である。
【図３】  （ａ）は同上のホルダーにヘアードライヤーを収納しない状態の側面断面図、（ｂ）は収納した状態の側面断面図である。
【図４】  同上のホルダーの正面図である。
【図５】  図４のＤ―Ｄ線断面図である。
【図６】  同上のホルダーの側面図である。
【図７】  同上のホルダーから開閉蓋を取り外した状態を説明する斜視図である。
【図８】  同上の開閉蓋の斜視図である。
【図９】  （ａ）は同上の開閉蓋の側面図、（ｂ）は正面図である。
【図１０】  （ａ）（ｂ）は同上の開閉蓋の開閉状態の説明図である。
【図１１】  同上のホルダーベースブロック内部の平面図である。
【図１２】  同上のヘアードライヤーの正面断面図である。
【図１３】  同上のホルダーとヘアードライヤーとの回路図である。
【符号の説明】
Ａ  ヘアードライヤー壁掛け用ホルダー
Ｂ  ヘアードライヤー
１  ドライヤー本体
２  ハンドル部
３  本体収納部
３ａ  内面
４  ホルダーカバー
５  漏電遮断機
６  テストボタン
７  開閉蓋
７ａ  外表面
８  天板部
９  開放部
１４  送風部
１６  発熱部
【図１】
0004377496.tif 000002
【図２】
0004377496.tif 000003
【図３】
0004377496.tif 000004
【図４】
0004377496.tif 000005
【図５】
0004377496.tif 000006
【図６】
0004377496.tif 000007
【図７】
0004377496.tif 000008
【図８】
0004377496.tif 000009
【図９】
0004377496.tif 000010
【図１０】
0004377496.tif 000011
【図１１】
0004377496.tif 000012
【図１２】
0004377496.tif 000013
【図１３】
0004377496.tif 000014